(57)【要約】【課題】病人の沐浴をベッドで行う介護ベッドの簡易沐浴装置を提供する。      【解決手段】介護ベッドの簡易沐浴装置は、主にベッドのマットレスより大きい防水ベッドカバーを主体とする。このベッドカバー周辺にはゴムが設置され、ベッドカバーをベッドマットレスに下向きに被せ、病人をその上に寝かす。病人に沐浴させる時、このベッドカバーの四隅をベッドマットレスから引き上げると、ベッドカバー周辺に設置したゴムによってベッドカバーの前後、左右を介護ベッドのベッドボード、フットボード及び両側のサイドレールに対してそれぞれ締め付ける。更にヘッドボード、フットボード及び両側のサイドレールの高さを利用し、ベッドカバーを締め上げて、自然な浴槽形状に形成する。同時にヘッドボードの壁部位にシャワー設備を附設し、ベッドカバーの末端両側に入水排水管を設置する。【選択図】図９
0003129817.tif 000002
【実用新案登録請求の範囲】
【請求項１】
介護ベッドの前端に高いヘッドボードを設置し、後端に低いフットボードを設置し、更
に両側にサイドボードを設置し、その上にはベッドマットレスを設置し、そのベッドマッ
トレスの外部にベッドカバーを被せ、介護ベッドの調整機構によってベッドの形態を調整
し、病人を寝かせたり、座らせたりする介護ベッドから構成された介護ベッドの簡易沐浴
装置において、
ベッドマットレスの外部に被せたベッドカバーは、防水機能を具えた布から作られ、その
ベッドカバーのサイズはベッドマットレスよりもやや大きく、そのベッドカバーの周辺に
はゴムが設置され、ベッドカバーをベッドマットレスの外部に下向きに被せるか、もしく
はベッドマットレスから引き上げ、ベッドカバーの周辺に設置したゴムの作用によって、
そのベッドカバーの前後、左右を介護ベッドのヘッドボード、フットボード及び両側のサ
イドボードの間で締め付け、それによって自然に沐浴空間である浴槽形態を形成し、同時
にベッドカバーに予め排水管を設置し、汚水をその排水管から集水桶に集めるか、浴室に
直接排水することを特徴とする介護ベッドの簡易沐浴装置。
【請求項２】
前記ベッドカバーの排水管は、ベッドカバーの介護ベッド末端両側部位に相対する位置
に設置することを特徴とする請求項１記載の介護ベッドの簡易沐浴装置。
【請求項３】
前記ベッドカバーの排水管は、切換制御バルブを設置して、その開閉を制御し、止水も
しくは排水機能を具えることを特徴とする請求項１記載の介護ベッドの簡易沐浴装置。
【請求項４】
前記これらの排水管は、ベッドカバーの後端部位両側の下縁に相対して設置した排水継
ぎ手上に設置し、且つ排水継ぎ手は切換制御バルブを設置することを特徴とする請求項１
記載の介護ベッドの簡易沐浴装置。
【考案の詳細な説明】
【技術分野】
【０００１】
本考案は、介護ベッドの簡易沐浴装置に関するもので、介護ベッドのベッドマットレス
に防水シーツを被せることにより、平時は病人を寝かせ、必要時にはベッドカバーを持ち
上げてその周辺に設置したゴムを締めると、自然に浴槽形状になる。ヘッドボードの壁部
位には予めシャワー設備が設置されており、それらによって病人の洗髪、入浴等の沐浴作
業を行い、同時に汚れた水は排水管で集水桶や浴室に流すので、便利なものである。
【背景技術】
【０００２】
歩行が不自由である、もしくは長期の寝たきりの病人は、歩行が不自由であるが故に、
介護者による介護の問題は大きい。トイレの排泄処理、及び体の清潔等の作業のうち、排
泄は一般に盆やビン等の補助機具に採取して処理する。これらは毎回病人をトイレに抱え
て連れて行く時の安全や負担を考えれば、便利な代替措置と言える。
【０００３】
しかしながら、体の清潔作業は、便利な解決策がなく、通常、病人を浴室に連れて行く
か、運んで行き、体を洗うか、濡れタオルで体を拭く。実際に病人を浴室まで連れて行く
か、運ぶ場合、病人が少しでも動く力があれば、介護者の力を借りて移動できるが、運動
能力を完全に失している場合、介護者が背負う、抱く、運ぶ方法で浴室まで移動しなけれ
ばならず、介護者の負担は非常に大きく、大変な作業であり、更に浴室は滑りやすいので
、転倒の危険もあるため、理想的な方法ではない。また、濡れタオルで拭く方法も同様に
非常に不便であり、同時に完全に体をきれいにできないという欠点がある。特に、頭の油
や垢はタオルで拭くだけではきれいにすることはできず、長期の寝たきり病人にとっても
清潔にできず、異臭を放ち、衛生に影響を与え、病原菌の温床となりやすいため、改善が
必要である。
【特許文献１】実用新案登録第３１１６７７６号公報
【特許文献２】特開２００５−１１８４９６号公報
【考案の開示】
【考案が解決しようとする課題】
【０００４】
解決しようとする問題点は、病人を抱いたり、抱えたりして浴室に連れて行くと、介護
者の負担が大きく、且つ病人にとっても危険である点と、濡れタオルで拭くだけでは病人
の清潔を保てないという点である。  
【０００５】
本考案の主な目的は、病人に沐浴が必要な時、ベッドマットレスに被せた人工皮革生地
からなる布のベッドカバーを引き上げ、ベッドカバーの周辺に設置したゴムの作用によっ
て締め付け、自然に浴槽形状に形成され、更に、介護ベッドのヘッド部位の壁に設置した
シャワー設備で沐浴を行うことである。
【０００６】
本考案の次の目的は、その構造の構成において、外付けの排水管で沐浴した汚水を集水
桶もしくは浴室内に排水し、ベッド周辺の清潔を保つことにある。
【０００７】
本考案の最後の目的は、病人を寝かせる機能を具えながら、また、必要な時には簡単、
迅速に浴槽型を形成するベッドカバー式沐浴装置を提供することにある。
【課題を解決するための手段】
【０００８】
上述の目的のために、本考案は、主に介護ベッドに被せた人工皮革生地からなる布等の
防水材で作られたベッドカバーを設計し、平常時病人をその上に寝かせ、必要な時にはベ
ッドカバーを引き上げてベッドカバーの周辺に設置したゴムの作用により、自然に締め付
けて浴槽形状を形成し、また介護ベッドのヘッドボードの壁に予め設置したシャワー設備
で病人の洗髪、入浴等の沐浴作業を行い、同時に沐浴の際の汚水を排水管から集水桶、も
しくは浴室内に流す。
【０００９】
すなわち、本考案は下記のとおりの構造を有することを特徴とする。
（１）介護ベッドの前端に高いヘッドボードを設置し、後端に低いフットボードを設置し
、更に両側にサイドボードを設置し、その上にはベッドマットレスを設置し、そのベッド
マットレスの外部にベッドカバーを被せ、介護ベッドの調整機構によってベッドの形態を
調整し、病人を寝かせたり、座らせたりする介護ベッドから構成された介護ベッドの簡易
沐浴装置において、
ベッドマットレスの外部に被せたベッドカバーは、防水機能を具えた布から作られ、その
ベッドカバーのサイズはベッドマットレスよりもやや大きく、そのベッドカバーの周辺に
はゴムが設置され、ベッドカバーをベッドマットレスの外部に下向きに被せるか、もしく
はベッドマットレスから引き上げ、ベッドカバーの周辺に設置したゴムの作用によって、
そのベッドカバーの前後、左右を介護ベッドのヘッドボード、フットボード及び両側のサ
イドボードの間で締め付け、それによって自然に沐浴空間である浴槽形態を形成し、同時
にベッドカバーに予め排水管を設置し、汚水をその排水管から集水桶に集めるか、浴室に
直接排水することを特徴とする介護ベッドの簡易沐浴装置。
【００１０】
（２）前記ベッドカバーの排水管は、ベッドカバーの介護ベッド末端両側部位に相対する
位置に設置することを特徴とする上記（１）の介護ベッドの簡易沐浴装置。
【００１１】
（３）前記ベッドカバーの排水管は、切換制御バルブを設置して、その開閉を制御し、止
水もしくは排水機能を具えることを特徴とする上記（１）の介護ベッドの簡易沐浴装置。
【００１２】
（４）前記これらの排水管は、ベッドカバーの後端部位両側の下縁に相対して設置した排
水継ぎ手上に設置し、且つ排水継ぎ手は切換制御バルブを設置することを特徴とする上記
（１）の介護ベッドの簡易沐浴装置。
【考案の効果】
【００１３】
本考案の介護ベッドの簡易沐浴装置は、病人を寝かせたり、座らせたりする介護ベッド
に於いて、病人の洗髪、入浴等の沐浴作業を行い、同時に汚れた水は排水管で集水桶や浴
室に流すので、便利であるという利点がある。
【考案を実施するための最良の形態】
【００１４】
本考案は、主にベッドのマットレスより大きい防水ベッドカバーを主体とする。このベ
ッドカバー周辺にはゴムが設置され、ベッドカバーをベッドマットレスに下向きに被せ、
病人をその上に寝かす。病人に沐浴させる時、このベッドカバーの四隅をベッドマットレ
スから引き上げると、ベッドカバー周辺に設置したゴムによってベッドカバーの前後、左
右を介護ベッドのベッドボード、フットボード及び両側のサイドレールに対してそれぞれ
締め付ける。更に、ヘッドボード、フットボード及び両側のサイドレールの高さを利用し
、ベッドカバーを締め上げて、自然な浴槽形状に形成する。同時にヘッドボードの壁部位
にシャワー設備を附設し、ベッドカバーの末端両側に入水排水管を設置する。そして、切
換制御バルブを切り換えて開けると、シャワー設備で病人の洗髪、入浴等の沐浴作業によ
って汚れた水が排水管から集水桶か浴室へ排出することを最も主要な特徴とする。
【００１５】
先ず、第１図から第５図に示すとおり、本考案の介護ベッドの簡易沐浴装置は、人工皮
革生地からなる布材などの主に防水機能を具えた布から作られたベッドカバーを主体とす
る。そのうち、この人工皮革生地からなる布材の構造は、主に基礎布層３を設置し、その
基礎布層３は織針３５でワックス３７処理した織り糸３６を最上面から垂直に構成した縦
糸列３１を一列に形成したものであり、その底面には巻き付けリング３２を設置し、それ
を細糸で作った循環編込み３４及び表層織りである柔突起布層２の巻き付けリング３２と
共に、定位鈎織で構成する。
【００１６】
この柔突起布層２は、コード織りの特性を具えた布１を採用し、それは縦糸列３１及び
横目が適度な密度で織られた織物２１であり、それが表面に密と不規則性を具えたコード
織り構造２３を形成し、そのコード織り構造２３を具えた柔突起層２と基礎布層３を重ね
合わせた後、織り糸で両者を鈎織りして綿密状の織層布６を形成する。
【００１７】
また、この基礎布層３上の織糸３６は、先ずワックス３７処理を行うため、柔突起層２
をＰＵ（ポリウレタン）樹脂液４で等しく塗布するが、この柔突起布層２は吸着性を具え
るため、ＰＵ樹脂液４が十分に吸われる。但し、この基礎布層３の織糸３６は先ず一層の
ワックス３７で覆うため、このワックス３７によってＰＵ樹脂液４が柔突起布層２の織物
２１に浸み込まず、基礎布層３へ浸み込む。そのため、織層布６の表面の柔突起布層２が
一層のＰＵ樹脂液４で覆われ、ＰＵ樹脂液４が生成されると、布の表皮層２２が形成され
、最後に基礎布層３上の織糸３６のワックス３７が取り除かれ、肌触りのよい基礎布層３
となり、本考案の人工皮革生地からなる布材が完成する。この布に病人を寝かせると、吸
湿、汗排出、乾燥、快適等の効果を得る。
【００１８】
第６図から第１０図に示すとおり、前述の人工皮革生地からなる布もしくはその他の防
水機能を具えた布で作られたベッドカバー４０を使用し、それらのベッドカバー４０のサ
イズは、介護ベッド５０のベッドマットレス６０よりややや大きい。この介護ベッド５０
はその調整機能によって、ベッドマットレス６０と共に多段式構造で病人の横になる角度
を調整する。また前述のベッドカバー４０の周辺にはゴム４１が設置され、ベッドカバー
４０をベッドマットレス６０対して下向きに被せ、そこに病人を寝かせ、ベッドマットレ
ス６０の保護効果を兼ね備える。
【００１９】
このベッドカバー４０は四隅をベッドマットレス６０から引き上げ、ベッドカバー４０
の周辺に設置したゴム４１の作用によって、ベッドカバー４０の前後、左右を上に向かっ
て介護ベッド５０のヘッドボード５１とフットボード５２と両側のサイドレール５３、５
４の間にかけて締め付け、自然に浴槽形状の沐浴空間を形成する。別にこのベッドカバー
４０は介護ベッド５０の後端部位両側の下縁に相対して排水継ぎ手４２、４２´を設置す
る。この排水継ぎ手４２、４２´は、簡易の切換制御バルブ４３、４３´が設置され、開
閉を制御し、止水もしくは排水を行う。
【００２０】
この排水継ぎ手４２、４２´には、排水管４４、４４´が外付けされ、排水管４４、４
４´を別に設置した集水桶４５、４５´もしくは直接浴室の排水孔に接続する。また、こ
の介護ベッド５０のヘッドボード部位の壁面には予めシャワー設備７０を設置し、シャワ
ー設備７０が水温を調節する。これらによって、本考案の簡易沐浴装置の基本構造が構成
される。
【００２１】
上述の構造から、平常時、ベッドカバー４０はベッドマットレス６０外部に対して下向
きに被さっており、病人を直接その上に寝かせる。このベッドカバーは人工皮革生地から
なる布の表面で肌触りがよい。そして病人が洗髪、入浴の必要がある時には、介護ベッド
５０の調整機構を使って予めベッドマットレス６０を適する姿勢形態にしておく。続いて
ベッドカバー４０の周辺のゴム４１をベッドマットレス６０から持ち上げて、その前後、
左右をそれぞれ介護ベッド５０のヘッドボード５１とフットボード５２及び両側のサイド
レール５３、５４上で締め付ける。
【００２２】
ベッドカバー４０周辺のゴム４１の作用によって、ヘッドボード、フットボード５１、
５２及び両側のサイドレール５３、５４の締め付け定位効果が達すると、自然にベッドカ
バー４０を浴槽形状に形成する。そして介護ベッドのヘッドボード側の壁に設置されたシ
ャワー設備７０から水を供給し、病人の洗髪、入浴の沐浴作業を行う。更にベッドカバー
４０が締め付けられて自然に浴槽形状を形成するため、中の水が外に漏れずに周辺を濡ら
さず、同時にベッドカバー４０の防水機能により、ベッドマットレス６０に水が浸み込む
ことがない。
【００２３】
そして介護ベッド５０は、ヘッドボード５１が高で、フットボード５２が低の形態であ
るため、沐浴後の汚水はそのベッド最後尾の低い部位である両側の排水継ぎ手４２、４２
´の切換制御バルブ４３、４３´を開いた状態で外設置の排水管４４、４４´から別設置
の集水桶４５、４５´へ集めるか、直接浴室へ排水し、これらによって、病人の沐浴が簡
易になる。
【００２４】
本考案は、ベッドカバー４０周辺に設置したゴム４１の作用によって、浴槽形態を形成
し、ベッド末端部の排水継ぎ手４２、４２´及び外付けの排水管４４、４４´、及び介護
ベッド５０の頭部の壁部位に設置したシャワー設備７０によって、簡易沐浴装置が構成さ
れる。それにより、介護ベッド５０の病人を休ませるという機能を損なわずに、病人の洗
髪、入浴等の沐浴が必要な時、ベッドカバー４０を締め付けて簡単に浴槽形態に形成し、
介護者がその場で沐浴作業をさせることができる。
【００２５】
同時に沐浴の際に出る汚水を自然に流すために非常に簡便であり、沐浴完成後、このベ
ッドカバー４０を外して別のベッドカバー４０を設置すればよい。そして、病人を浴室ま
で支えたり、運んだりして連れて行く面倒と不便、且つ連れて行く時の危険性、そして濡
れタオルだけで拭くだけでは頭や体をきれいにすることができない等の諸問題を改善する
。
【００２６】
つまり、本考案は病人の沐浴の求めに対して創設した介護ベッドの簡易沐浴装置であり
、介護ベッドの本来の機能を変えることなく、ベッドマットレス外部に被せたベッドカバ
ーを利用し、沐浴が必要な時には、ベッドカバーを持ち上げて締め付け、浴槽形態を形成
し、ベッドの頭部に設置したシャワー設備及びベッドカバー末端の排水管の設置と共に病
人の沐浴を行い、従来の病人に対する沐浴を改善した。
【図面の簡単な説明】
【００２７】
【図１】本考案のベッドカバー用人工皮革生地からなる布の編み方の構造分解指示図である。
【図２】本考案のベッドカバー用人工皮革生地からなる布の構造関係指示図(一)である。
【図３】本考案のベッドカバー用人工皮革生地からなる布の構造関係指示図(二)である。
【図４】本考案のベッドカバー用人工皮革生地からなる布に於けるＰＵ樹脂液が塗布されておらず、基礎布層に一層のワックスを塗る前の構造関係図である。
【図５】本考案のベッドカバー用人工皮革生地からなる布に於けるＰＵ樹脂液が塗布され、基礎布層には一層のワックスを塗った構造関係図である。
【図６】本考案の実施例指示図(一)である。
【図７】本考案の実施例指示図(二)である。
【図８】本考案の実施例構造関係指示図(一)である。
【図９】本考案の実施例構造関係指示図(二)である。
【図１０】本考案の使用状態の実施例を示す参考図である。
【符号の説明】
【００２８】
１        布
２        柔突起布層
２１        織物
２２        表皮層
２３        コード織構造
３        基礎布層
３１        縦糸列
３２        巻き付けリング
３４        循環編込み
３５        織針
３６        織糸
３７        ワックス
４        ＰＵ樹脂液
４０        ベッドカバー
４１        ゴム
４２        排水継ぎ手
４２´      排水継ぎ手
４３        切換制御バルブ
４３´      切換制御バルブ
４４        排水管
４４´      排水管
４５        集水桶
４５´      集水桶
５０        介護ベッド
５１        ヘッドボード
５２        フットボード
５３        サイドレール
５４        サイドレール
６        布
６０        ベッドマットレス
７０        シャワー設備
【図１】
0003129817.tif 000003
【図２】
0003129817.tif 000004
【図３】
0003129817.tif 000005
【図４】
0003129817.tif 000006
【図５】
0003129817.tif 000007
【図６】
0003129817.tif 000008
【図７】
0003129817.tif 000009
【図８】
0003129817.tif 000010
【図９】
0003129817.tif 000011
【図１０】
0003129817.tif 000012